【事件の表示】
　特許第２８６８４６０号「給紙装置」の特許に対する特許異議の申立てについて、次のとおり決定する。
【結　論】
　訂正を認める。
　特許第２８６８４６０号の特許を維持する。
【理　由】
１．手続の経緯
　本件特許第２８６８４６０号は、平成８年５月２９日（優先権主張１９９５年１１月２５日、大韓民国）に出願され、平成１０年１２月２５日に特許権の設定の登録があり、特許掲載公報が平成１１年３月１０日に発行され、その後、平成１１年９月１０日付けで久米和子より特許異議の申立てがあり、取消理由を通知したところ、その指定期間内である平成１２年４月２５日に特許異議意見書の提出と共に訂正請求がされたものである。
　
２．訂正の適否
(1)訂正の内容
　当該訂正は、特許請求の範囲の請求項１の記載中、
「上記一対の第１ガイドプレートは、第１のガイドリブ及び第１のテンション突起を有し、該第１のガイドリブは該第１ガイドプレートの両側に配してあり」とあるを、
「上記一対の第１ガイドプレートは、第１のガイドリブ及び第１のテンション突起を有し、該第１のガイドリブは該第１ガイドプレートの両側に配してあり、一対の第１のガイドリブの間の中心よりずれた部位に腕部を有し、上記ラック歯車部は、この腕部の側面のうち、一対の第１のガイドリブの間の中心側の面に形成してあり、上記第１のテンション突起は、この面とは反対側の面に設けた構成であり、」（以下、「訂正事項ａ」という。）とし、更に
「上記スリット状ガイド長孔は、上記カセット本体の中央側の部位に、上記第１のガイドリブを受け入れる開口部を有し」（以下、「訂正事項ｂ」という。）を加えることを内容とする。
　
(2)訂正の目的の適否及び新規事項の追加、拡張・変更の存否
　上記訂正事項ａは「第１ガイドプレート」を図示されたとおりの具体的な形状に特定するものであり、訂正事項ｂはカセット本体の「スリット状ガイド長孔」の形状を具体的に特定するものであって、いずれも特許請求の範囲の減縮に該当し、願書に添付した明細書に記載した事項の範囲内の事項であり、かつ、実質上特許請求の範囲を拡張するものでも、変更するものでもないと認める。
　
(3)独立特許要件の判断
(ｉ)訂正明細書に係る発明について
　訂正明細書の請求項１に係る発明は、訂正明細書および図面の記載からみて、その特許請求の範囲の請求項１に記載された事項により特定される次のとおりのものである。
【請求項１】
(Ａ)カセット本体と、
(Ｂ)前記カセット本体に結合されて大きさの異なる用紙が選択的に安着可能なプレートと、
(Ｃ)前記カセット本体に設けてあるピニオンと、
(Ｄ)ラック歯車部を有し、該ラック歯車部を上記ピニオンと噛み合わせて、上記カセット本体に互いに反対方向にスライド可能に設けてあり、前記安着された用紙の幅方向の両側縁部をガイドする一対の第１ガイドプレートと、
(Ｅ)該第１ガイドプレートの夫々に取り付けてあり、前記プレートに安着された用紙の先端をガイドする第３ガイドプレートと、
(Ｆ)上記カセット本体にスライド可能に設けてあり、前記安着された用紙の後端をガイドする第２ガイドプレートとを有する給紙装置において、
(Ｇ)上記ピニオンが上記カセット本体の上面に設けてあり、上記カセット本体は上記一対の第１ガイドプレートのための第１のガイド長孔及び第１のロッキング溝、及び上記第２ガイドプレートのための第２のガイド長孔及び第２のロッキング溝を有し、該第１のガイド長孔は上記カセット本体の底板に平行に形成してある一対のスリット状ガイド長孔よりなり、該第２のガイド長孔はその両側の縁に沿って支持レールを有し、
(Ｈ)上記一対の第１ガイドプレートは、第１のガイドリブ及び第１のテンション突起を有し、該第１のガイドリブは該第１ガイドプレートの両側に配してあり、
一対の第１のガイドリブの間の中心よりずれた部位に腕部を有し、上記ラック歯車部は、この腕部の側面のうち、一対の第１のガイドリブの間の中心側の面に形成してあり、上記第１のテンション突起は、この面とは反対側の面に設けた構成であり、
(Ｉ)上記スリット状ガイド長孔は、上記カセット本体の中央側の部位に、上記第１のガイドリブを受け入れる開口部を有し、
(Ｊ)上記第２ガイドプレートは、第２のガイドリブ及び第２のテンション突起を有し、該第２のガイドリブは該第２ガイドプレートの両側に配してあり、
(Ｋ)上記一対の第１ガイドプレートは、上記カセット本体の上面に支持され、該両側の第１のガイドリブが夫々対応するスリット状ガイド長孔に嵌合して該カセット本体から外れない状態となっており、且つ、上記第１のテンション突起が上記第１のロッキング溝に係止された位置にロックされ、
(Ｌ)上記第２ガイドプレートは、上記カセット本体の上面に支持され、該両側の第２のガイドリブが夫々対応する支持レールに嵌合して該カセット本体から外れない状態となっており、且つ、上記第２のテンション突起が上記第２のロッキング溝に係止された位置にロックされる構成としたことを特徴とする給紙装置」
（符号(Ａ)〜(Ｌ)は便宜上付した。）
　
(ii)引用刊行物
　当審が通知した取消理由に引用した次の刊行物（引用例１ないし引用例５）には概略以下の技術が開示されている。
引用例１：特開平７−２０６１７号公報
　シート部材供給カセットに関するものであり、次の記載がある。
「本発明は、静電複写機及び静電印刷機の如き画像生成機において普通紙の如きシート部材を供給するために使用されるシート部材供給カセット、更に詳しくは収容されるシート部材を規制するための位置調整自在な規制手段が少なくとも１個配設されている形態のシート部材供給カセットに関する。」（段落【0001】）、
「図１及び図２を参照して説明を続けると、容器本体４の底面には、別個に成形された底壁部材２０が固定されている。所望ならば、容器本体４の底壁を規定している底壁部材２０を容器本体４と一体に形成することもできる。底壁部材２０の右半部上には一対の幅規制手段、即ち前側幅規制手段２２及び後側幅規制手段２４が前後方向（図２において上下方向）に移動自在に装着されている。
………（略）………
延出部３４の下面は底壁２６の主部の下面よりも下方に突出せしめられており、延出部３４に形成されている上記被案内溝３８の底面が底壁２６の主部の下面と同一平面をなす。
………（略）………
上記底壁部材２０の上面の前後方向中央部には、実質上鉛直に延びる中心軸線を中心として回転自在にピニオン歯車４６が装着されている。
………（略）………
かくして、前側幅規制手段２２及び後側幅規制手段２４の双方が底壁部材２０上に前後方向に移動自在に装着されると共に、前側幅規制手段２２と後側幅規制手段２４との前後方向移動がラック３６及び４２並びにピニオン歯車４６によって連動せしめられる。」（段落【0016】）
「前側幅規制手段２２及び後側幅規制手段２４の各々には、周知の形態でよい爪部材５２及び５４が装着されている。」（段落【0017】）
「上記底壁部材２０の左半部には、前後方向（図２において上下方向）に移動自在に後端規制手段６０が装着されている。底壁部材２０の左半部には左右方向に延びる細長いスロット６２が形成されている。更に、このスロット６２の前側及び後側において、底壁部材２０の上面上には、交互に形成された多数の凹凸から構成された静止係止手段６４及び６６が配設されている。適宜の合成樹脂から形成することができる後端規制手段６０は、底壁６７とこの底壁６７から実質上鉛直に上方に延びる直立規制壁６８とを有する。底壁６７の下面には装着アーム（図示していない）が形成されており、かかる装着アームを弾性変形せしめて上記スリット６２を通して底壁部材２０の下面に係止せしめることによって、後端規制手段６０がスリット６２に沿って左右方向に移動自在に底壁部材２０に装着される。後端規制手段６０には、更に、その底壁６７の後端から上方に突出する操作片７０も形成されていると共に、その底壁６７の下面後端から下方に突出する係止突起（図示していない）が形成されている、かかる係止突起はスロット６２の両側において上記静止係止手段６４及び６６の凹凸に係止せしめられ、かくして後端規制手段６０が設定位置にロックされる。」（段落【0018】）
「前側幅規制手段２２を設定位置にロックするためのロック機構９０が配設されている。このロック機構９０は、前側幅規制手段２２の直立規制壁２８の外側面即ち前側面（図１において下側面）に装着された係止部材９２と、上記底壁部材２０上に形成された静止被係止手段９４とから構成されている。
………（略）………
係止部材９２は、上下方向に延びる主壁部１０４とこの主壁部１０４の右側面前縁及び後縁から左右に突出する１対の突出壁部１０６を有する。
………（略）………
主壁部１０４の下端部右側面には前後方向に交互に位置する溝及び突起から構成された係止部１１０が形成されている。
………（略）………
底壁部材２０の上面には前後方向に延びる溝１１６が形成されており、かかる溝１１６の右側面に上記静止被係止手段９４が配設されている。」（段落【0022】）
　そして、当該引用例記載のシート部材供給カセットは「種々の寸法のシート部材に適用され得る」もの（段落【0002】参照）と解されるから、上記摘記箇所等の明細書及び図面の記載からみて、次の発明が開示されているものと認める。
「(イ)容器本体４と、
(ロ)前記容器本体４に結合されて大きさの異なる用紙が選択的に載置可能な乗載板７２と、
(ハ)容器本体４の底壁部部材２０に装着されてあるピニオン歯車４６と、
(ニ)ラックを有し、該ラックをピニオン歯車４６に係合せしめて、互いに反対方向に移動自在に装着されてあり、幅方向の両側縁部をガイドする前側幅規制手段２２及び後側幅規制手段２４と、
(ホ)前側及び後側幅規制手段２２．２４の各々に装着された爪部材５２、５４と、
(ヘ)スリット６２に沿って左右方向に移動自在に底壁部材２０に装着された後端規制手段６０とを有する
シート部材供給カセット」であって、
「(ト)ピニオン歯車４６が容器本体４の上面に装着されてあり、前側幅規制手段２２のための静止被係止手段９４、後端規制手段６０のためのスロット６２及び静止係止手段６４、６６を有し、
(チ)後端規制手段６０は装着アーム及び底壁６７の下面後端から下方に突出する係止突起を有し、装着アームは後端規制手段６０に両側に配してあり、
(リ)前側及び後側幅規制手段２２．２４は、容器本体４の上面に支持され、且つ、係止部１１０が静止被係止手段９４に係止された位置にロックされ、
(ヌ)後端規制手段６０は、容器本体４の上面に支持され、該両側の装着アームがスロット６２の長手両側縁部に嵌合して容器本体４から外れない状態となっており、且つ後端規制手段６０の底壁６７の下面後端から下方に突出する係止突起が静止係止手段６４、６６に係止された位置にロックされる
構成を備えたもの」
（以下、「引用発明」という。なお、符号(イ)〜(ヌ)は便宜上付した。）
　
引用例２：特開平２−３０５７２５号公報
　積層シートのための供給マガジンに関するものであって、マガジンの底内面に平行に形成された開口スロット１７、１７を有し、規制部材１２の両側の保持アーム２１がそれぞれ対応する開口スロットに嵌合し、開口スロットに沿ってスライド移動自在であり、かつマガジンから外れない状態となっている規制部材の取付構造が開示されている。（３頁上左欄11行〜下左欄６行、４頁下左欄４行〜下右欄１行、および図面参照）
　　　
引用例３：実願昭59-58278号（実開昭60-170342号）のマイクロフィルム
　用紙供給装置に関するものであって、紙置台面に平行に形成された長孔を有し、両側に突起が配されたスライダを有し、突起が長孔に嵌合し、長孔に沿ってスライド移動自在にかつ紙置台から外れない状態となっている、スライダの取付構造が開示されている。（実用新案登録請求の範囲および図面参照）
　
引用例４：実願昭53-140595号（実開昭55-58555号）のマイクロフィルム
　用紙受台に関するものであって、用紙の先端および側端を規制する規制板が保持材に一体的に取付られており、保持材には固定用片が設けられてなる構成が開示されている。（４頁３〜16行および図面参照）
　
引用例５：実願昭59-58278号（実開昭60-170342号）のマイクロフィルム
　複写機の給紙カセットに関するものであって、複写紙の規制部材には係止用の突起が具備されてなる構造が開示されている。（４頁７行〜５頁11行および図面参照）
　
(iii)対比・判断
　訂正発明と引用発明とを対比すると、後者の「容器本体４」「シート部材」「乗載板７２」「ピニオン歯車４６」「ラック３６、４２」「前側及び後側の幅規制手段２２、２４」「爪部材５２、５４」「後端規制手段６０」「静止被係止手段９４」「スロット６２」「静止係止手段６４、６６」「スロット６２の長手両側縁部」「溝及び突起から構成された係止部１１０」「装着アーム」「後端規制手段６０の底壁６７の下面後端から下方に突出する係止突起」は、前者の「カセット本体」「用紙」「プレート」「ピニオン」「ラック歯車部」「一対の第１ガイドプレート」「第３ガイドプレート」「第２ガイドプレート」「第１のロッキング溝」「第２のガイド長孔」「第２のロッキング溝」「支持レール」「第１のテンション突起」「第２のガイドリブ」「第２のテンション突起」にそれぞれ相当するから、後者の構成(イ)〜(ヌ)は、前者の構成(Ａ)〜(Ｇ)、(Ｊ)〜(Ｌ)にそれぞれ相当し、それらの構成を備えた点で一致するものの、後者は、前者の構成(Ｈ)および(Ｉ)に相当する構成を備えていない点で相違する。
　すなわち、相違点は次のとおりである。
[相違点１]
　訂正発明の第１ガイドプレートが、「第１のガイドリブ及び第１のテンション突起を有し、該第１のガイドリブは該第１ガイドプレートの両側に配してあり、一対の第１のガイドリブの間の中心よりずれた部位に腕部を有し、上記ラック歯車部は、この腕部の側面のうち、一対の第１のガイドリブの間の中心側の面に形成してあり、上記第１のテンション突起は、この面とは反対側の面に設けた構成」であるのに対し、引用発明の「前側及び後側の幅規制手段２２、２４」はそのような構成となっていない。
[相違点２]
　訂正発明のスリット状ガイド長孔は、「カセット本体の中央側の部位に、上記第１のガイドリブを受け入れる開口部を有し」ているものであるのに対し、引用発明の「第２のガイド長孔」はそのような構成となっていない。
　
　上記相違点について検討するに、引用例２〜５を検討しても、上記構成(Ｈ)および(Ｉ)については記載されていない。引用例２〜３は、訂正発明の第１ガイドプレートのカセット本体に対する取付構造に相当する構造に関するものではあるが、具体的構成は当該構成（Ｈ）とは異なるものである。また、引用例４、５も「テンション突起」に相当するものについての記載に留まる。
　してみると、引用例２〜５の記載を参酌しても、上記構成(Ｈ)および(Ｉ)まで示唆されるものとも認められない。
　それに対し、訂正発明は、上記各相違点に係る構成(Ｈ)および(Ｉ)を有することにより、「部品点数が少なくて済み、構造が簡単に出来、よって、給紙装置の組立を簡単に行うことができる」（段落【0018】参照）といった明細書記載の作用、効果を奏することができるものと解される。
　したがって、引用例１ないし引用例５に記載された発明に基づいて当業者が容易に発明をすることができたものとは認めることができない。
　よって、引用例１ないし引用例５をもってしては、訂正発明を特許出願の際、独立して特許を受けることができない発明とすることはできない。
　また、他に、当該発明について特許を受けることができない発明とする理由は見い出せない。
　
(4)結論
　以上のとおりであるから、上記訂正は、特許法第１２０条の４第２項及び第３項で準用する第１２６条第２項ないし第４項の規定に適合するので、当該訂正を認める。
　
３．特許異議の申立てについて
(1)申立ての理由の概要
　異議申立人久米和子 は、証拠として、甲第１号証：特開平７−２０６１７号公報（上記引用例１に相当）、甲第２号証：特開平２−３０５７２５号公報（上記引用例１に相当）、甲第３号証：実願昭５９−５８２７８号（実開昭６０−１７０３４２号）のマイクロフィルム（上記引用例１に相当）、甲第４号証：実願昭５３−１４０５９５号（実開昭５５−５８５５５号）のマイクロフィルム（上記引用例１に相当）を提出し、本件の請求項１に係る発明は甲第１号証ないし甲第４号証の存在により、特許法第２９条第２項の規定により特許を受けることができないものである旨主張する。
　
(2)判断
　本件の請求項１に係る発明（以下、「本件発明」という。）は、上記訂正が認められた結果、前記訂正発明のとおりのものとなっており、甲第１号証ないし甲第４号証は、上記引用例１ないし引用例４にそれぞれ対応するものである。
　したがって、本件発明と甲号各証に記載された発明との対比判断は、前記２(3)に示したものと同様である。
　よって、本件に係る発明が甲号各証に記載された発明に基づいて当業者が容易に発明をすることができたものであるとすることはできない。
　
(3)むすび
　以上のとおりであるから、特許異議の申立ての理由及び証拠によっては、本件請求項１に係る特許を取り消すことはできない。
　また、他に本件請求項１に係る特許を取り消すべき理由を発見しない。
　よって、結論のとおり決定する。
【異議決定日】
平成１２年６月２２日（２０００．６．２２）
【訂正の要旨】
◎訂正事項
　特許請求の範囲の請求項１の記載、
「カセット本体と、
　前記カセット本体に結合されて大きさの異なる用紙が選択的に安着可能なプレートと、
　前記カセット本体に設けてあるピニオンと、
　ラック歯車部を有し、該ラック歯車部を上記ピニオンと噛み合わせて、上記カセット本体に互いに反対方向にスライド可能に設けてあり、前記安着された用紙の幅方向の両側縁部をガイドする一対の第１ガイドプレートと、
　該第１ガイドプレートの夫々に取り付けてあり、前記プレートに安着された用紙の先端をガイドする第３ガイドプレートと、
　上記カセット本体にスライド可能に設けてあり、前記安着された用紙の後端をガイドする第２ガイドプレートとを有する給紙装置において、
　上記ピニオンが上記カセット本体の上面に設けてあり、上記カセット本体は上記一対の第１ガイドプレートのための第１のガイド長孔及び第１のロッキング溝、及び上記第２ガイドプレートのための第２のガイド長孔及び第２のロッキング溝を有し、該第１のガイド長孔は上記カセット本体の底板に平行に形成してある一対のスリット状ガイド長孔よりなり、該第２のガイド長孔はその両側の縁に沿って支持レールを有し、
　上記一対の第１ガイドプレートは、第１のガイドリブ及び第１のテンション突起を有し、該第１のガイドリブは該第１ガイドプレートの両側に配してあり、
　上記第２ガイドプレートは、第２のガイドリブ及び第２のテンション突起を有し、該第２のガイドリブは該第２ガイドプレートの両側に配してあり、
　上記一対の第１ガイドプレートは、上記カセット本体の上面に支持され、該両側の第１のガイドリブが夫々対応するスリット状ガイド長孔に嵌合して該カセット本体から外れない状態となっており、且つ、上記第１のテンション突起が上記第１のロッキング溝に係止された位置にロックされ、
　上記第２ガイドプレートは、上記カセット本体の上面に支持され、該両側の第２のガイドリブが夫々対応する支持レールに嵌合して該カセット本体から外れない状態となっており、且つ、上記第２のテンション突起が上記第２のロッキング溝に係止された位置にロックされる構成としたことを特徴とする給紙装置。」を、特許請求の範囲の減縮を目的として、
「カセット本体と、
　前記カセット本体に結合されて大きさの異なる用紙が選択的に安着可能なプレ一トと、
　前記カセット本体に設けてあるピニオンと、
　ラック歯車部を有し、該ラック歯車部を上記ピニオンと噛み合わせて、上記カセット本体に互いに反対方向にスライド可能に設けてあり、前記安着された用紙の幅方向の両側縁部をガイドする一対の第１ガイドプレートと、
　該第１ガイドプレートの夫々に取り付けてあり、前記プレートに安着された用紙の先端をガイドする第３ガイドプレートと、
　上記カセット本体にスライド可能に設けてあり、前記安着された用紙の後端をガイドする第２ガイドプレートとを有する給紙装置において、
　上記ピニオンが上記カセット本体の上面に設けてあり、上記カセット本体は上記一対の第１ガイドプレートのための第１のガイド長孔及び第１のロッキング溝、及び上記第２ガイドプレートのための第２のガイド長孔及び第２のロッキング溝を有し、該第１のガイド長孔は上記カセット本体の底板に平行に形成してある一対のスリット状ガイド長孔よりなり、該第２のガイド長孔はその両側の縁に沿って支持レールを有し、
　上記一対の第１ガイドプレートは、第１のガイドリブ及び第１のテンション突起を有し、該第１のガイドリブは該第１ガイドプレートの両側に配してあり、一対の第１のガイドリブの間の中心よりずれた部位に腕部を有し、上記ラック歯車部は、この腕部の側面のうち、一対の第１のガイドリブの間の中心側の面に形成してあり、上記第１のテンション突起は、この面とは反対側の面に設けた構成であり、
　上記スリット状ガイド長孔は、上記カセット本体の中央側の部位に、上記第１のガイドリブを受け入れる開口部を有し、
　上記第２ガイドプレートは、第２のガイドリブ及び第２のテンション突起を有し、該第２のガイドリブは該第２ガイドプレートの両側に配してあり、
　上記一対の第１ガイドプレートは、上記カセット本体の上面に支持され、該両側の第１のガイドリブが夫々対応するスリット状ガイド長孔に嵌合して該カセット本体から外れない状態となっており、且つ、上記第１のテンション突起が上記第１のロッキング溝に係止された位置にロックされ、
　上記第２ガイドプレートは、上記カセット本体の上面に支持され、該両側の第２のガイドリブが夫々対応する支持レールに嵌合して該カセット本体から外れない状態となっており、且つ、上記第２のテンション突起が上記第２のロッキング溝に係止された位置にロックされる構成としたことを特徴とする給紙装置。」
と訂正する。
（５４）【発明の名称】
給紙装置
（５７）【特許請求の範囲】
　　【請求項１】　カセット本体と、
　前記カセット本体に結合されて大きさの異なる用紙が選択的に安着可能なプレートと、
　前記カセット本体に設けてあるピニオンと、
　ラック歯車部を有し、該ラック歯車部を上記ピニオンと噛み合わせて、上記カセット本体に互いに反対方向にスライド可能に設けてあり、
前記安着された用紙の幅方向の両側縁部をガイドする一対の第１ガイドプレートと、
　該第１ガイドプレートの夫々に取り付けてあり、前記プレートに安着された用紙の先端をガイドする第３ガイドプレートと、
　上記カセット本体にスライド可能に設けてあり、前記安着された用紙の後端をガイドする第２ガイドプレートとを有する給紙装置において、
　上記ピニオンが上記カセット本体の上面に設けてあり、
　上記カセット本体は上記一対の第１ガイドプレートのための第１のガイド長孔及び第１のロッキング溝、及び上記第２ガイドプレートのための第２のガイド長孔及び第２のロッキング溝を有し、該第１のガイド長孔は上記カセット本体の底板に平行に形成してある一対のスリット状ガイド長孔よりなり、該第２のガイド長孔はその両側の縁に沿って支持レールを有し、
　上記一対の第１ガイドプレートは、第１のガイドリブ及び第１のテンション突起を有し、該第１のガイドリブは該第１ガイドプレートの両側に配してあり、
一対の第１のガイドリブの間の中心よりずれた部位に腕部を有し、上記ラック歯車部は、この腕部の側面のうち、一対の第１のガイドリブの間の中心側の面に形成してあり、上記第１のテンション突起は、この面とは反対側の面に設けた構成であり、　上記スリット状ガイド長孔は、上記カセット本体の中央側の部位に、上記第１のガイドリブを受け入れる開口部を有し、
　上記第２ガイドプレートは、第２のガイドリブ及び第２のテンション突起を有し、該第２のガイドリブは該第２ガイドプレートの両側に配してあり、
　上記一対の第１ガイドプレートは、上記カセット本体の上面に支持され、該両側の第１のガイドリブが夫々対応するスリット状ガイド長孔に嵌合して該カセット本体から外れない状態となっており、且つ、上記第１のテンション突起が上記第１のロッキング溝に係止された位置にロックされ、
　上記第２ガイドプレートは、上記カセット本体の上面に支持され、該両側の第２のガイドリブが夫々対応する支持レールに嵌合して該カセット本体から外れない状態となっており、且つ、上記第２のテンション突起が上記第２のロッキング溝に係止された位置にロックされる構成としたことを特徴とする給紙装置。
【発明の詳細な説明】
　　【発明の属する技術分野】
　本発明は複写機、プリンターなどのＯＡ機器に用いられる給紙装置に係り、さらに詳細には多様な用紙の大きさに応じて用紙の収納空間を調整することができる給紙装置に関する。
　　【従来の技術】
　一般にＯＡ機器には用紙を自動的に一枚ずつ供給するための給紙装置が用いられている。
　かかる従来の給紙装置は、図１に示したように、本体をなすカセット１と、用紙の幅を調整する側面ガイド６と、用紙の長さを調整する長さ調整ガイド３と、前記カセット１に固定されて弾性付勢力を与える弾性部材１ｈにより支持されて前記用紙を載せるように構成されたプレート２と、用紙の先端縁部を押すガイド片５ａの備えられたスナバ５とから構成されている。そして、前記カセット本体１の内には前記側面ガイド６の突起部６ａ及び長さ調整ガイド３の突起部３ｂが安着される位置設定溝（１ａ〜１ｆ）と、前記長さ調整ガイド３がスライディングされるようにガイドする長孔部１ｇが備えられる。
　ここで、プレート２、側面ガイド６、長さ調整ガイド３及びカセット１の側壁１ｊ，１ｋは用紙収納空間を形成する。
　前記のような構造の給紙装置において、相異なる大きさの用紙に応じて前記カセット１の用紙収納空間の幅を変更するときは、前記側面ガイド６の突起部６ａを前記カセット本体１に形成された幅位置設定溝１ａ，１ｂ，１ｃのうち適切な位置に嵌め込む。これにより、供給される用紙の大きさに合わせてカセット１の用紙収納空間の幅が調整される。例えば、Ａ４大きさの用紙を使用するときは前記側面ガイド６の突起部６ａを参照番号１ａの溝に嵌め込み、手紙大きさの用紙を使用するときは参照番号１ｂの溝に嵌め込む。
　また、異なる大きさの用紙が供給されることにより前記カセット１の用紙収納空間の長さを変更するときは、前記長さ調整ガイド３に取り付けられているテンションバー３ａを手に持ち記長孔部１ｂに沿って長さ調整ガイド３を前後に移動させる。この際、前記長さ調整ガイド３の突起部３ｂを前記カセット本体１に形成された長さ位置設定溝１ｄ，１ｅ，１ｆに係止させることにより、前記用紙収納空間の長さを供給される用紙のサイズに合わせて調整する。
　したがって、前記のような従来の給紙装置で所望の用紙の大きさに応じてカセットを調整する場合、前記側面ガイド６を前記カセット本体１から毎度着脱しなければならないので使用が不便であり、頻繁な着脱による前記側面ガイド６の紛失の恐れもある。
　　【発明が解決しようとする課題】
　本発明は前記のような問題点を解決するために案出されたものであり、多様な大きさの用紙に応じてその用紙の収納される空間を容易に変更するようになる給紙装置を提供することにその目的がある。
　本発明の他の目的は、異なる大きさの用紙が供給されるときに用紙をガイドするガイドプレートを着脱する作業を無くすことによりガイドプレートの紛失の恐れを取り除いた給紙装置を提供することにある。
　　【課題を解決するための手段】
　前記目的を達成するために本発明の給紙装置は、カセット本体と、前記カセット本体に結合されて大きさの異なる用紙が選択的に安着可能なプレートと、前記カセット本体内に位置されて前記安着された用紙の幅方向の両側縁部をガイドし、所定の連動手段により相互反対方向に移動される一対の第１ガイドプレートを備える第１ガイド手段と、前記カセット本体内に位置されて前記安着された用紙の後端をガイドする第２ガイド手段とを含むことを特徴とする。
　ここで、前記連動手段は、前記カセット本体にピニオンを回転自在に設け、前記一対の第１ガイドプレートにピニオンと噛み合うラック歯車部をそれぞれ形成する。したがって、そのピニオンの回転方向に応じて前記一対の第１ガイドプレートがそれぞれ用紙の幅方向に連動して移動可能にする。
　前記第２ガイド手段は前記カセット本体の用紙の長手方向に第２ガイド長孔が形成され、該第２ガイド長孔にスライディング自在に結合される第２ガイドプレートを備えることが望ましい。
　　【発明の実施の形態】
　以下、添付した図面に基づき本発明をさらに詳細に説明する。
　図２は本発明による給紙装置の一実施例の分解斜視図である。図２に示したように、本発明の給紙装置は、カセット本体１００と、前記カセット本体１００に結合されて大きさの異なる用紙が選択的に安着可能なプレート２００と、前記カセット本体１００の内に位置されて前記選択された用紙の幅方向の両側縁部をガイドして相互所定の連動手段により反対方向に共に移動される一対の第１ガイドプレート５００を備える第１ガイト手段と、前記カセット本体１００の内に位置されて前記選択された用紙の後端をガイドする第２ガイド手段とを具備する。
　前記連動手段は、前記カセット本体１００に回転自在に設けられたピニオン６００と、前記一対の第１ガイドプレート５００にそれぞれ形成されてピニオン６００と噛み合うラック歯車部５０２を含む。このような連動手段はピニオン６００の回転方向に応じて前記一対の第１ガイドプレート５００をそれぞれ用紙の幅方向に連動して移動可能にする。
　また、前記各第１ガイドプレート５００にガイドリブ５０３が形成される。そして、前記カセット本体１００には前記各ガイドリブ５０３がスライディング可能に結合されて前記用紙の幅方向に複数の第１ガイド長孔１０４ａ，１０４ｂを形成してなるガイド手段がさらに備えられている。
　また、前記第１ガイドプレート５００を所定の位置に固定させる第１位置固定手段がさらに備えられる。ここで、前記第１位置固定手段には、図４及び図５に示したように前記第１ガイドプレート５００に形成されて弾性変形可能なテンション突起５０１が備えられる。そして、カセット本体１００に前記テンション突起５０１が弾力的にロッキングされて所定の間隔に隔てて形成された複数のロッキング溝１０１が備えられる。
　一方、用紙の長手方向の大きさ変更をガイドする第２ガイド手段には、カセット本体１００の内に用紙の長手方向に形成された第２ガイド長孔１０３が備えられる。そして、第２ガイド手段には前記第２ガイド長孔１０３の支持レール１０３ａに沿ってスライディング自在に結合される第２ガイドプレート３００が備えられる。また、第２ガイド手段には前記第２ガイドプレート３００を所定の位置に固定させる第２位置固定手段がさらに備えられる。
　前記第２位置固定手段は、図６及び図７に示したように、前記第２ガイドプレート３００に形成されて弾性変形可能なテンション突起３０１が備えられる。そして、前記カセット本体１００に前記テンション突起３０１が弾力的にロッキングされて所定の間隔に隔てて形成された複数のロッキング溝３０３が備えられる。
　また、前記プレート２００に安着された用紙の先端をガイドする第３ガイドプレート４００がさらに備えられる。前記第３ガイドプレート４００はその一端に形成された結合口４００ｂが前記第１ガイドプレート５００に固定された連結ピン５００ｂに結合してから回転してその水平部が第１ガイドプレートの外側に突出している係止部５００ａに安着される。かつ、前記結合口４００ｂの他端には前記用紙の先端上面と接触されるガイド片４００ａが備えられる。
　また、前記プレート２００の一端部に形成されている結合口２００ａはカセット本体１００に固定された連結ピン２００ｂに締結される。前記プレート２００は前記カセット本体１００に固定された板ばね１０５により弾力的に支持される。
　前記のような構造において、異なる大きさの用紙が供給されることにより前記カセット１００の用紙収納空間の幅を変更するときは、前記一対の第１ガイドプレート５００のうちいずれか一つを押引して移動させる。すると、その一対の第１ガイドプレート５００とラック歯車部５０２に連結されたピニオン６００が回転しながら第１ガイドプレート５００は連動されて反対方向の運動をする。この際、一対の第１ガイドプレート５００は、図３乃至図５に示したように、前記カセット本体１００に形成された第１ガイド長孔１０４ａ，１０４ｂに沿ってスライディングしながら第１ガイドプレートに形成されている第１のテンション突起５０１がカセット本体１００に形成されている第１のロッキング溝１０１に係止されて所望の位置を取る。
　また、他の大きさの用紙が供給されることにより前記カセット１００の用紙収納空間の長さを変更するときは、図６及び図７に示したように、第２ガイドプレート３００を前後方向に移動させる。この際、第２ガイドプレート３００が前記カセット本体１００に形成された第２ガイド長孔１０３に沿ってスライディングしながらその第２ガイドプレート３００に形成されている第２のテンション突起３０１が前記カセット本体１００に形成されている第２のロッキング溝３０３に係止されて所望の位置を取る。ここで、前記第１ガイドプレート５００及び第２ガイドプレート３００に備えられているテンション突起５０１，３０１は、図３及び図６に示したように弾性付勢特性を有する締結手段として作用する。よって、少ない力でも前記ロッキング溝１０１，３０３からテンション突起５０１，３０１を緩むことができて所望の位置に容易に移動させうる。
　また、図８に示した実施例のように、カセット本体１００のロッキング溝１０１，３０３及び前記第１ガイドプレート５００と第２ガイドプレート３００のテンション突起部５０１，３０１を鋸の歯状に構成しても本発明は実現可能である。
　　【発明の効果】
　以上、説明したように本発明によれば、従来の給紙装置で所望の用紙の大きさに応じてカセット用紙収納空間を調整する場合に発生した問題点を解決することができる。即ち、ガイドプレートをカセット本体上から毎度着脱する不便さを取り除くことによりガイドプレートの紛失の恐れを防止することができる。また、ピニオンがカセット本体の上面に設けてあるため、一対の第１ガイドプレートをカセット本体の上面側からカセット本体に組み付けることが出来、また、第２ガイドプレートもカセット本体の上面側からカセット本体に組み付けることが出来、また、部品点数が少なくて済み、構造が簡単に出来、よって、給紙装置の組立を簡単に行うことが出来る。
　本発明は図面に示した実施例を参照して説明したが、これは例示的なものに過ぎず、本発明の技術の通常の知識を持つ者ならば、多様な変形及び均等な他の実施例が可能であることは理解しなければならな
い。したがって、本発明の真の技術的な保護範囲は特許請求の範囲の
技術的思想により定められるべきである。
【図面の簡単な説明】
　　【図１】
　従来の給紙装置を示した分解斜視図である。
　　【図２】
　本発明による給紙装置を示した分解斜視図である。
　　【図３】
　図２に示した第１ガイドプレートのテンション突起部がカセット本体に形成されたロッキング溝に係止されている状態を示す断面図である。
　　【図４】
　図２に示した第１ガイドプレートとピニオンの組立断面図である。
　　【図５】
　図２に示した第１ガイドプレートとピニオンの組立平面図である。
　　【図６】
　図２に示した第２ガイドプレートと突起部の安着状態の背面図である。
　　【図７】
　図２に示した第２ガイドプレートとカセット本体の組立断面図である。
　　【図８】
　図３及び図６に示したガイドプレートの突起部を鋸の歯状に変形した一実施例を示す断面図である。
　　【符号の説明】
　１００　カセット本体
　１０１　ロッキング溝
　１０３　第２ガイド長孔
　１０４ａ，１０４ｂ　第１ガイド長孔
　１０５　板ばね
　２００　プレート
　２００ａ，４００ｂ　結合口
　２００ｂ　連結ピン
　３００　第２ガイドプレート
　３０１　テンション突起
　４００　第３ガイドプレート
　４００ａ　ガイド片
　５００　第１ガイドプレート
　５００ａ　係止部
　５０１　テンション突起
　５０２　ラック歯車部
　５０３　ガイドリブ
　６００　ピニオン